(57)【要約】【課題】本発明の実施形態は、セキュリティ装置の存在が判別しにくいエレベータセキュリティシステムを提供することを目的とする。【解決手段】本発明の実施形態に係るエレベータセキュリティシステムは、昇降路内を昇降する乗りかご２の運行を制御するエレベータ制御装置と、各階の乗場７に設けられ、乗場呼び登録を行うための乗場呼び登録釦と、乗場７に複数配置されることにより特定経路を構築し乗場にいる特定の利用者を検出するホールセンサ１４とを備える。【選択図】図５
2013043747.tif 000002
【特許請求の範囲】
【請求項１】
昇降路内を昇降する乗りかごの運行を制御するエレベータ制御装置と、
各階の乗場に設けられ、乗場呼び登録を行うための乗場呼び登録釦と、
前記乗場に複数配置されることにより特定経路を構築し前記乗場にいる特定の利用者を検出するホールセンサと、
を備えることを特徴とするエレベータセキュリティシステム。
【請求項２】
前記ホールセンサは特定経路内を通過している利用者は検出せず、前記特定経路内から特定経路外もしくは特定経路外から特定経路内を交差通過している利用者を検出することを特徴とする請求項１に記載のエレベータセキュリティシステム。
【請求項３】
前記エレベータ制御装置は、前記ホールセンサによって特定の利用者が検出されたときは、前記乗場呼び登録釦による乗場呼び登録機能を停止させることを特徴とする請求項１に記載のエレベータセキュリティシステム。
【請求項４】
前記ホールセンサが複数配置されることにより構築される特定経路は、一定時間ごとに変化することを特徴とする請求項１に記載のエレベータセキュリティシステム。
【発明の詳細な説明】
【技術分野】
【０００１】
本発明の実施形態は、セキュリティ装置の存在が判別しにくいエレベータセキュリティシステムに関する。
【背景技術】
【０００２】
近年のエレベータシステムにおいては、乗場等にＩＣカードや暗証番号等によりエレベータの利用を制限するセキュリティシステムが設置され、不審者が建物内に侵入しないように管理されている。
【先行技術文献】
【特許文献】
【０００３】
【特許文献１】特開２００８−６３０５０号公報
【特許文献２】特開２００８−２８０１１７号公報
【発明の概要】
【発明が解決しようとする課題】
【０００４】
しかしながら、上記のようにＩＣカードや暗証番号等によりエレベータの利用制限をするものでは、ＩＣカードや暗証番号の読取装置などのセキュリティシステムが利用者に見える位置に設置される。そのため、居住者以外の不審者等にも乗場等にセキュリティ機能がついていることを容易に判別されてしまう。居住者以外の不審者等にセキュリティシステムがあることが判別されると、不審者等に対しセキュリティシステムを回避する機会を与えることにもなり得る。したがって、不審者等にセキュリティシステムを回避する機会を与えないようなセキュリティシステムが求められている。
【０００５】
そこで、本発明の実施形態は、特定の利用者以外の者がその存在を判別しづらいエレベータセキュリティシステムの提供を目的とする。
【課題を解決するための手段】
【０００６】
上記目的を達成するために、本発明の実施形態に係るエレベータセキュリティシステムは、昇降路内を昇降する乗りかごの運行を制御するエレベータ制御装置と、各階の乗場に設けられ、乗場呼び登録を行うための乗場呼び登録釦と、前記乗場に複数配置されることにより特定経路を構築し前記乗場にいる特定の利用者を検出するホールセンサと、を備えることを特徴とする。
【図面の簡単な説明】
【０００７】
【図１】本発明の実施形態に係るエレベータの構成を示す模式図である。
【図２】本発明の実施形態に係るかご内を示す模式図である。
【図３】本発明の実施形態に係る乗場を示す模式図である。
【図４】本発明の実施形態に係るエレベータセキュリティシステムの構成を示すブロック図である。
【図５】本発明の実施形態に係る乗場及びかご内を示す模式図である。
【図６】本発明の実施形態に係るエレベータセキュリティシステムのフローチャートである。
【発明を実施するための形態】
【０００８】
以下、本発明の実施形態について図面を参照して説明する。
【０００９】
まず、図１ないし図３を用いて本発明の実施形態に係るエレベータの構成について説明する。
【００１０】
図１に示すように、建物に設けられる昇降路１内には昇降路１内を昇降するかご２が設置され、昇降路１上部に設けられる機械室１００には、エレベータの運行を制御するエレベータ制御装置３が設置されている。ここではエレベータ制御装置３が機械室１０１に設置されるものとしたが、機械室無しのエレベータの場合にあっては、昇降路１内上部にエレベータ制御装置３が設置されるものとする。
【００１１】
かご２の出入口には開閉自在なかごドア４が設けられている。また、かご２上部にはかご制御装置５が設けられ、かご制御装置５はかご２の着床時にかごドア４を戸開閉させ、利用者の乗り降りを可能とする。かご制御装置５はテールコード６によりエレベータ制御装置３と通信可能に接続されている。また、かご制御装置５は、戸開閉動作の他に、図示しない、かご照明、空調装置、アナウンス装置などをそれぞれ制御するように設定されている。
【００１２】
建物の各階に設けられる乗場７には昇降路１の開口部を塞ぐようにして乗場ドア８が設置されている。この乗場ドア８は、かご２の階床への着床時にかごドア４と係合し戸開閉動作が連動して行われる構成となっている。
【００１３】
図２に示すように、かご２内には、操作盤９が設けられ、操作盤９には、かご２の現在位置や移動情報等を表示するかご内表示部１０及びエレベータの利用者がかご呼び登録を行うかご呼び登録釦１１が備えられている。さらにかご２内には、かご２内における利用者の存在を検知するかご内センサ１２が設置されている。かご内センサ１２の詳細については後述する。
【００１４】
図３に示すように、乗場７には乗場ドア８のほか、エレベータの利用者が乗場呼び登録を行うための乗場呼び登録釦１３及び乗場７における利用者の存在を検知するホールセンサ１４が設置されている。ホールセンサ１４の詳細については後述する。
【００１５】
また、図４のブロック図に示すように、本発明の実施形態に係るエレベータ制御装置３は、かご呼び登録釦１１、乗場呼び登録釦１３、かご内センサ１２、ホールセンサ１４と通信可能に接続されている。また既述のように、かご制御装置５とも接続されている。
【００１６】
次に図５を用いて、かご内センサ１２及びホールセンサ１４について説明する。
【００１７】
図５に示すように、乗場７には互いに離間されて配置される一対のホールセンサ１４が複数配置されている。そして、これら複数のホールセンサ１４で構築される離間範囲を乗場出入口へ案内する特定経路とする。具体的には、乗場出入口へ案内される特定経路は、特定経路とする範囲の両端に複数のホールセンサ１４が配置されることにより形成される。なお、ホールセンサ１４の離間間隔は特に定めず、ホールセンサ１４の配置及び特定経路の範囲は本実施例の形状に限定されない。また、ホールセンサ１４が複数配置されてなる特定経路は、一定時間ごとに変化するものとしてもよい。すなわち、一定時間ごとに、特定のホールセンサ１４の検知機能をＯＮ／ＯＦＦ制御することにより、一定時間ごとに特定経路を変化させることができる。
【００１８】
また、既述のようにかご２内にはかご内センサ１２が設置されている。
【００１９】
かご内センサ１２はかご２内に、ホールセンサ１４は乗場７に設置されるものとしたが、具体的には床や天井、壁等にセンサ自体を埋め込む形で設置される。このかご内センサ２及びホールセンサ１４は光電管や赤外線センサ等から構成されるものであり、これらのセンサから発せられるセンサ光は肉眼では視別できないものとなっている。具体的には、かご内センサ１２及びホールセンサ１４は、乗場７の床に発光部が埋め込まれ、その位置に対応する天井の位置に受光部を取り付けることによりセンサ光が授受される構成となっている。当然、発光部を天井に、受光部を床に埋め込む構成とすることも可能である。
【００２０】
このように、かご内センサ１２及びホールセンサ１４は発光部と受光部とから構成され、発光部から射光されるセンサ光を受光部が受光する。このセンサ光が遮光され、受光部にてセンサ光が受光できないことにより、乗場７の利用者を検知するものとなっている。すなわち、ホールセンサ１４は、上述した特定経路を通過している利用者は検知せず、特定経路内から特定経路外もしくは特定経路外から特定経路内を交差通過している利用者を検知する。
【００２１】
また、かご内センサ１２の利用者検知範囲は、操作盤９の近傍に設定され、操作盤９の前に利用者がいるか否かを判断している。これは、例えば操作盤９の前で正しくかご呼び登録を行っていない場合には通常の利用者によるかご呼び登録でないものとして、かご呼び登録を行う必要が無いと判断するためである。
【００２２】
次に図６を用いて本実施形態におけるエレベータセキュリティシステムの機能について説明する。
【００２３】
まず、エレベータの利用者が乗場７にて乗場呼び登録を行う際に、エレベータ制御装置３がホールセンサ１４から検知信号を受信しているか否かを判断する（Ｓ１）。エレベータ制御装置３がホールセンサ１４から検知信号を受信していない場合は（Ｓ１のＮＯ）、通常のエレベータの運転制御と同様に、利用者による乗場呼び登録を許可する（Ｓ２）。そして、その後利用者によって乗場呼び登録釦１３が押下された場合（Ｓ３のＹＥＳ）、エレベータ制御装置３は乗場呼び登録釦１３が押下された階へかご２を移動させる（Ｓ４）。
【００２４】
一方、エレベータ制御装置３がホールセンサ１４から検知信号を受信している場合は（Ｓ１のＹＥＳ）、特定経路を知らない特定者、いわゆるセキュリティ機能を知らない外部の者が乗場７にいると判断し、エレベータ制御装置３は一定時間、乗場呼び登録釦１３による乗場呼び登録を禁止する（Ｓ５）。一定時間経過後（Ｓ６）、エレベータ制御装置３がホールセンサ１４からの検知信号を受信していない場合は、乗場呼び登録の禁止を解除する。一方、一定時間経過後（Ｓ６）、エレベータ制御装置３が未だにホールセンサ１４から検知信号を受信している場合は、乗場呼び登録釦１３による乗場呼び登録の禁止を一定時間継続する。乗場呼び登録の禁止は、ホールセンサ１４からの検知信号が受信されなくなるまで、継続される。
【００２５】
ステップ４にて、エレベータ制御装置３がかご２を乗場呼び登録釦１３が押下された階へ移動させた後、エレベータ制御装置３はホールセンサ１４から検知信号を受信しているか否かを判断する（Ｓ７）。エレベータ制御装置１３がホールセンサ１４から検知信号を受信していない場合（Ｓ７のＮＯ）、かご制御装置５はかごドア４を戸開させる（Ｓ８）。一方、エレベータ制御装置１３がホールセンサ１４から検知信号を受信している場合は（Ｓ７のＹＥＳ）、特定経路を知らない特定者、いわゆるセキュリティ機能を知らない外部の者が乗場７にいると判断し、一定時間、かご制御装置５は戸開動作を行わずに戸閉状態を継続する（Ｓ９）。一定時間経過後（Ｓ１０）、エレベータ制御装置３がホールセンサ１４からの検知信号を受信していない場合、かご制御装置５はかごドア４を戸開させる（Ｓ８）。一方、一定時間経過後（Ｓ１０）、エレベータ制御装置３が未だにホールセンサ１４から検知信号を受信している場合は、戸閉状態を一定時間継続する。このように戸閉状態の継続は、ホールセンサ１４からの検知信号が受信されなくなるまで、継続される。
【００２６】
かごドア４が戸開された後（Ｓ８）、エレベータ制御装置３は、かご内センサ１２から検知信号を受信しているか否かを判断する（Ｓ１１）。かご内センサ１２からの検知信号を受信していない場合（Ｓ１１のＮＯ）、エレベータ制御装置３は、かご呼び登録釦１１によるかご呼び登録を禁止し（Ｓ１２）、かご制御装置５は戸開状態を継続させる（Ｓ１３）。一方、かご内センサ１２から検知信号を受信している場合（Ｓ１１のＹＥＳ）、エレベータ制御装置３は利用者によるかご呼び登録を許可する（Ｓ１４）。
【００２７】
かご内センサ１２からの検知信号の有無によって、かご呼び登録釦１１によるかご呼び登録を禁止するか否かを判断するのは、既述のように、居住者などの利用者の場合は、通常、操作盤９の前でかご呼び登録を行うことを前提としているためである。すなわち、かご内センサ１２からの検知信号を受信していない場合には、利用者がいない、もしくは不審者などが乗場側から無理にかご呼び登録を行おうとしている場合など、かご呼び登録を許可することが好ましくない状況であると判断するものである。
【００２８】
そしてその後、利用者によってかご呼び登録釦１１が押下された場合（Ｓ１５のＹＥＳ）、かご制御装置５はかごドア４を戸閉させ、エレベータ制御装置３はかご内センサ１２を無効にする（Ｓ１６）。そして、エレベータ制御装置３は、かご呼び登録釦１１が押下された階へかご２を移動させる（Ｓ１７）。ステップ１７にて、エレベータ制御装置３がかご２をかご呼び登録釦１１が押下された階へ移動させた後、エレベータ制御装置３はホールセンサ１４から検知信号を受信しているか否かを判断する（Ｓ１８）。エレベータ制御装置１３がホールセンサ１４から検知信号を受信していない場合（Ｓ１８のＮＯ）、かご制御装置５はかごドア４を戸開させる（Ｓ１９）。一方、エレベータ制御装置１３がホールセンサ１４から検知信号を受信している場合（Ｓ１８のＹＥＳ）、一定時間、戸開動作を行わずに戸閉状態を継続する（Ｓ２０）。一定時間経過後（Ｓ２１）、エレベータ制御装置３がホールセンサ１４からの検知信号を受信していない場合は、かごドア４を戸開させる（Ｓ１９）。一方、一定時間経過後（Ｓ２１）、エレベータ制御装置３が未だにホールセンサ１４から検知信号を受信している場合は、かご制御装置５は戸閉状態を一定時間継続する。このように戸閉状態の継続は、ホールセンサ１４からの検知信号が受信されなくなるまで、継続される。なお、かご内利用者が許可する場合には、ホールセンサ１４から検知信号を受信していても、戸開動作可能としてもよい。
【００２９】
その後、かご制御装置５はかごドア４を戸開させて（Ｓ１９）、かご２内の利用者を降車させて処理を終了する。
【００３０】
以上のように、本実施形態に係るエレベータセキュリティシステムによれば、特定の利用者以外の者がセキュリティシステムの存在を判別しづらいエレベータのセキュリティシステムを実現することができ、より高いセキュリティ効果を得ることができる。
【００３１】
なお、本実施形態において、かご制御装置５がかごドア４を戸開閉させるものとしたが、エレベータ制御装置３がかご制御装置５と同様の処理を行うものとしてもよい。
【符号の説明】
【００３２】
１…昇降路
２…かご
３…エレベータ制御装置
４…かごドア
５…かご制御装置
６…テールコード
７…乗場
８…乗場ドア
９…操作盤
１０…かご内表示部
１１…かご呼び登録釦
１２…かご内センサ
１３…乗場呼び登録釦
１４…ホールセンサ
【図１】
2013043747.tif 000003
【図２】
2013043747.tif 000004
【図３】
2013043747.tif 000005
【図４】
2013043747.tif 000006
【図５】
2013043747.tif 000007
【図６】
2013043747.tif 000008